【手続補正書】
【提出日】平成24年10月23日(2012.10.23)
【手続補正１】
【補正対象書類名】特許請求の範囲
【補正対象項目名】全文
【補正方法】変更
【補正の内容】
【特許請求の範囲】
【請求項１】
所定の第１の距離を保ち平行に配置された第１の棒体と第２の棒体間に、当該第１と第２の棒体が位置する面と同一平面上に前記第１の棒体と第２の棒体に直交して掛け渡した第３の棒体と、該第３の棒体から前記第１の距離を２以上の整数で割れる第２の略距離に保ち第３の棒体に平行に取り付けた第４の棒体から構成した骨組配置部に、
前記第２の略距離を一辺とする方形板の裏面に棒体を固定する脚部を設け、平行する２本の棒体間に前記方形板を取り付ける物品配置部において、
少なくとも同一長さの２本の棒体を連結する関節構造を有する連結棒体構造であって、前記関節構造は２本の棒体を同一直線上に連結するのみならず、２本の連結した棒体の成す角度を任意に変えられる第１の回動機構を有し、さらに連結した棒体を前記第１の回動機構に対し該棒体の軸心を中心に回動可能な第２の回動機構を備え、前記２本の連結した棒体の他端は該棒体に直交する同一径の棒体に固着可能なクランプ体を有し、前記２本の棒体のそれぞれの長さは他端に設けたクランプ体の固着中心までの距離が前記方形板の一辺の長さに略等しいことを特徴とするパイプ連結構造体。
【請求項２】
所定の第１の距離を保ち平行に配置された第１の棒体と第２の棒体間に、当該第１と第２の棒体が位置する面と同一平面上に前記第１の棒体と第２の棒体に直交して掛け渡した第３の棒体と、該第３の棒体から前記第１の距離を２以上の整数で割れる第２の略距離に保ち第３の棒体に平行に取り付けた第４の棒体から構成した骨組配置部に、
前記第２の略距離を一辺とする方形板の裏面に棒体を固定する脚部を設け、平行する２本の棒体間に前記方形板を取り付ける物品配置部において、
少なくとも３本の棒体を直列に連結し、各棒体間には関節構造を有する連結棒体構造であって、前記関節構造は３本の棒体を同一直線上に連結するのみならず、隣り合う２本の連結した棒体の成す角度を任意に変えられる第１の回動機構を有し、さらに連結した各棒体を前記第１の回動機構に対し該棒体の軸心を中心に回動可能な第２の回動機構を備え、
中央の棒体は前記方形板の１辺の長さに略等しく、
両端の棒体の外端には該棒体に直交する同一径の棒体に固着可能なクランプ体を有し、両端の棒体のそれぞれの長さはクランプ体の固着中心までの距離が前記方形板の一辺の長さに略等しいことを特徴とするパイプ連結構造体。
【手続補正２】
【補正対象書類名】明細書
【補正対象項目名】０００９
【補正方法】変更
【補正の内容】
【０００９】
本願発明では、上記の課題を解決するために、所定の第１の距離を保ち平行に配置された第１の棒体と第２の棒体間に、当該第1と第２の棒体が位置する面と同一平面上に前記第１の棒体と第２の棒体に直交して掛け渡した第３の棒体と、該第３の棒体から前記第１の距離を2以上の整数で割れる第２の略距離に保ち第３の棒体に平行に取り付けた第４の棒体から構成した骨組配置部を設ける。
そして前記第２の略距離を一辺とする方形板の裏面に棒体を固定する脚部を設け、平行する２本の棒体間に前記方形板を取り付ける物品配置部としてある。
【手続補正３】
【補正対象書類名】明細書
【補正対象項目名】００１０
【補正方法】変更
【補正の内容】
【００１０】
この物品配置部には、少なくとも３本の棒体を直列に連結し、各棒体間には関節構造を有する連結棒体構造であって、前記関節構造は３本の棒体を同一直線上に連結するのみならず、隣り合う２本の連結した棒体の成す角度を任意に変えられる第１の回動機構を有し、さらに連結した各棒体を前記第１の回動機構に対し該棒体の軸心を中心に回動可能な第２の回動機構を備え、中央の棒体は前記方形板の1辺の長さに略等しく、両端の棒体の外端には該棒体に直交する同一径の棒体に固着可能なクランプ体を有し、両端の棒体のそれぞれの長さはクランプ体の固着中心までの距離が前記方形板の一辺の長さに略等しいパイプ連結構造体としてある。
【手続補正４】
【補正対象書類名】明細書
【補正対象項目名】００１２
【補正方法】変更
【補正の内容】
【００１２】
さらに本発明では、上記の課題を解決するために、所定の第１の距離を保ち平行に配置された第１の棒体と第２の棒体間に、当該第１と第２の棒体が位置する面と同一平面上に前記第１の棒体と第２の棒体に直交して掛け渡した第３の棒体と、該第３の棒体から前記第１の距離を２以上の整数で割れる第２の略距離に保ち第３の棒体に平行に取り付けた第４の棒体から構成した骨組配置部を設ける。
そして前記第２の略距離を一辺とする方形板の裏面に棒体を固定する脚部を設け、平行する２本の棒体間に前記方形板を取り付ける物品配置部としてある。
【手続補正５】
【補正対象書類名】明細書
【補正対象項目名】００１３
【補正方法】変更
【補正の内容】
【００１３】
この物品配置部は、少なくとも３本の棒体を直列に連結し、各棒体間には関節構造を有する連結棒体構造であって、前記関節構造は３本の棒体を同一直線上に連結するのみならず、隣り合う２本の連結した棒体の成す角度を任意に変えられる第１の回動機構を有し、さらに連結した各棒体を前記第１の回動機構に対し該棒体の軸心を中心に回動可能な第２の回動機構を備え、中央の棒体は前記方形板の1辺の長さに略等しく、両端の棒体の外端には該棒体に直交する同一径の棒体に固着可能なクランプ体を有し、両端の棒体のそれぞれの長さはクランプ体の固着中心までの距離が前記方形板の一辺の長さに略等しいパイプ連結構造体としてある。
【手続補正６】
【補正対象書類名】明細書
【補正対象項目名】００２０
【補正方法】変更
【補正の内容】
【００２０】
展示室の上方には物品獲得部５が移動するための横行用固定レール８が前後の左右方向に平行に取り付けられており、該横行用固定レール８の下には横行用固定レールに直交して縦行用可動レール９が左右に移動可能に掛け渡されている。そして縦行用レール９には物品獲得部基台１０が懸架され、前後に移動可能に取り付けられている。
物品獲得部基台１０には、物品獲得部５が昇降可能に取り付けられており、物品獲得部５を吊下げ昇降させる。横行用固定レール８、縦行用可動レール９は、展示室の天井部１１に配置されている。
【手続補正７】
【補正対象書類名】明細書
【補正対象項目名】００２７
【補正方法】変更
【補正の内容】
【００２７】
そして、後方支柱１３に掛け渡した後方枠部材の両端のパイプつなぎ２３のＴ字の縦部分２３ｂには、それぞれ手前側支柱に至る2本の丸棒状の側枠部材２４の後端２４ａを嵌入し、前記後方枠部材２２と同一平面状に取り付けられ、側枠部材２４の前端は係合部２４ｂとして手前支柱の被係合部１２ａに係合される。
手前側支柱１２の後方面には高さ方向に所定間隔で差込穴が多数設けてあり被係合部１２ａとして、前記側枠部材２４の前端の係合部２４ｂが挿入される。
【手続補正８】
【補正対象書類名】明細書
【補正対象項目名】００３３
【補正方法】変更
【補正の内容】
【００３３】
これにより長方形板２８や正方形板２７は後方枠部材２２や側枠部材２４、棒状部材２５の上側に前記切欠２７ｂを宛がうことで座置される。
また一点鎖線で図示した棒状部材２５に直交して後方枠部材２２や側枠部材２４を宛がう際には、直交する周縁２７ａに沿って設けた切欠２７ｂに宛がう。この場合の枠部材２２、２４を二点鎖線で示している。
【手続補正９】
【補正対象書類名】明細書
【補正対象項目名】００４０
【補正方法】変更
【補正の内容】
【００４０】
他方の半球体３４の外面側には前記円筒穴３４ａに加えて六角のナイロンナット３８を半埋設する有底の六角穴３４ｂが設けてあり、ナット３８を埋設した状態に固定される。半球体３４、３４の半割面３４ｃは互いにトラスネジのネジ穴３５が開いており、ナイロンナット３８にトラスネジ３６を螺合することで半球体３４，３４の半割面３４ｃ、３４ｃ同士を摺接させ、回動可能としている。この構造によりナット３８の回転が固定されるので、ドライバ一本でトラスネジ３６を回すことで回動の調整が可能となっている。
【手続補正１０】
【補正対象書類名】明細書
【補正対象項目名】００４１
【補正方法】変更
【補正の内容】
【００４１】
各半球体３４、３４には半割面３４ｃの円周の接線方向に沿う形で円筒体３９が形成されている。
各半球体３４には半割面３４ｃの円周の接線方向に沿って直径１３ｍｍのパイプ３１又は３２が接続される円筒体３９が形成されるように、半割面３４ｃの円周の接線に円周端を有し、中心が半割面３４ｃ上に位置する円状基台３９ａが半球体３４の中心寄りに設けられる。
【手続補正１１】
【補正対象書類名】明細書
【補正対象項目名】００４２
【補正方法】変更
【補正の内容】
【００４２】
円状基台３９ａの半円体部分３９ｂは半球体の半割面３４ｃからはみ出て、他方の半球体の表面に摺接する凹面を有する構造になっている。
円筒体３９は、円筒体の軸心と同心の円状基台３９ａに形成されており、円状基台３９ａは、半球体と一体に形成されている。
【手続補正１２】
【補正対象書類名】明細書
【補正対象項目名】００４３
【補正方法】変更
【補正の内容】
【００４３】
円筒体３９は直径９ｍｍで長さが１７ｍｍの肉厚の筒体であり、円状基台３９ａの中心軸と同心に形成される。
該円筒体３９の円周部分には深さ１ｍｍの半円溝３９ｃが該円筒体を略三等分する位置に2ケ所に周設してあり、円筒体３９の円筒面には分割面の延長面上に沿って前記半円溝３９ｃに交差して円筒体の長さ方向に長さ１４ｍｍ、幅２ｍｍのスリット３９ｄが対向して2ケ所開口している。
【手続補正１３】
【補正対象書類名】明細書
【補正対象項目名】００４６
【補正方法】変更
【補正の内容】
【００４６】
すると、摺動体の丸孔４０ｄは円筒体３９を介して対称位置にあり、摺動体の前記丸孔４０ｄの位置でパイプ体３１又は３２を側面両側から丸孔４０ｄに対応する位置でカシメを打つことで、パイプ体３１又は３２の内側面に突起が形成され丸孔４０ｄに係合して密着し、パイプ体３１又は３２がジョイント部３３抜けるのを防止する。
【手続補正１４】
【補正対象書類名】明細書
【補正対象項目名】００４８
【補正方法】変更
【補正の内容】
【００４８】
ジョイント部３３に挿着されたパイプ体３１、３２を接続する円筒体３９は半球体３４の円周の接線方向に取り付けており、ジョイント部３３の回動中心は半球体３４の中心からずれた位置にあるので、円周の接線側には略５０度の範囲で回動し、回動中心のネジ穴３５側には略１４０度の範囲で回動することが可能な構造になっている。
【手続補正１５】
【補正対象書類名】明細書
【補正対象項目名】００５３
【補正方法】変更
【補正の内容】
【００５３】
上段の枠体の側枠部材２４，２４間には棒状部材２５ａが長方形板２８を後方枠部材２２ａとの間に設置できるように架設しクランプ体で締結してある。その棒状部材２５ａに隣接してさらに棒状部材２５ｂが架設されている。
下段の枠体の側枠部材間２４、２４間の後方枠近傍に、棒状部材２５ｃが架設されている。
【手続補正１６】
【補正対象書類名】明細書
【補正対象項目名】００５４
【補正方法】変更
【補正の内容】
【００５４】
上段の棒状部材２５ｂの中央に正方形板２７を配置すべく２軸の連結パイプ体３０を２つ並列に正方形板２７に合わせて並べクランプ体４１を棒状部材２５ｂに嵌め入れ、連結パイプ体３０の上方のパイプ体３１を水平にする。連結パイプ体３０全体を７の字状にして下段の側枠部材間に配した棒状部材２５ｃにクランプ体４１を嵌め入れる。これにより下方のジョイント部３３の両端のパイプ体３１、３２を直線状し、上方のジョイント部３３で棒状部材２５ｂに向くように位置決めした後、各部材のクランプ体４１，４１を締結し、骨組が完成する。
【手続補正１７】
【補正対象書類名】図面
【補正対象項目名】全図
【補正方法】変更
【補正の内容】
【図１】
2011087831.tif 000001
【図２】
2011087831.tif 000002
【図３】
2011087831.tif 000003
【図４】
2011087831.tif 000004
【図５】
2011087831.tif 000005
【図６】
2011087831.tif 000006
【図７】
2011087831.tif 000007
【図８】
2011087831.tif 000008
【図９】
2011087831.tif 000009
【図１０】
2011087831.tif 000010
【図１１】
2011087831.tif 000011
【図１２】
2011087831.tif 000012
【図１３】
2011087831.tif 000013